(57)【要約】【課題】効果音放出のための開口によって遊技機正面の外観を損ねたり、遊技機への取付位置の自由度を狭めることのない遊技機の低音スピーカシステムを提供する。【解決手段】エンクロージャ２にケルトン形のエンクロージャを用い、効果音放出口（ポート６）の開口直径ｄを、スピーカ１の振動板１ａの直径Ｄの数分の一程度の小さな寸法に設定し、遊技機正面の効果音放出のための開口を小さくした。エンクロージャのポートを、直線状やＬ字状等、適宜形状に形成してポート開口端６ａを、遊技機正面側の所望箇所に形成された効果音放出用開口７に連通させるようにした。【選択図】        図１
2004229183.tif 000002
【特許請求の範囲】
【請求項１】
スピーカと、開口部を有しこの開口部に振動板が臨むように前記スピーカが取り付けられた仕切板により中間部が仕切られて前後２つの空気室が形成され、両空気室のうちの前記スピーカの正面側に位置する前空気室のいずれかの壁面に、前記振動板の正面側の開口部面積よりも開口面積の小さな、唯一の効果音放出口をなすポートを有するエンクロージャとを備え、前記ポートを適宜形状に形成してその開口端を、遊技機正面側の所望箇所に形成された効果音放出用開口に連通させることを特徴とする遊技機の低音スピーカシステム。
【請求項２】
請求項１に記載の遊技機の低音スピーカシステムにおいて、ポートがエンクロージャ外壁面から直線状に突出し、又は直線状に突出した後に側方に１ないし複数回曲げられ、その開口端を効果音放出用開口に連通させることを特徴とする遊技機の低音スピーカシステム。
【発明の詳細な説明】
【０００１】
【発明の属する技術分野】
本発明は、遊技機のスピーカシステム、特に遊技機への取付けの自由度を増した低音（低域）スピーカシステムに関するものである。
【０００２】
【従来の技術】
パチンコ機等の遊技機においては、遊技を楽しく行えるように、遊技の場面、場面において種々の効果音（合成音声を含む）を発生させている。このような効果音は、通常、スピーカと、このスピーカを収納するエンクロージャ（スピーカボックス）とを備えてなるスピーカシステムから発せられる。
ところで近年は、遊技場面の臨場感を一層増すため、中，高域の効果音を発するスピーカシステムに加えて低域の効果音を発するスピーカシステムを備えた、あるいは低音重視の観点から低域の効果音を発するスピーカシステムのみを備えた遊技機が出回っている（例えば、特許文献１参照）。
【０００３】
【特許文献１】
特開２０００−８４２４８号公報
【０００４】
【発明が解決しようとする課題】
しかしながら上記従来技術では、次のような問題点があった。
すなわち遊技機においては、従来からの外形状や大きさを変えることなく、本体の正面側に上記エンクロージャを設けるためのスペースを確保することができない。したがって、エンクロージャを含めたシステム全体は本体の裏面側に設けられることが多い。
この場合、スピーカが放射する効果音を支障なく遊技機の正面側（遊技者側）に伝えるためには、スピーカが取り付けられる遊技機本体の、スピーカの振動板対応箇所（本体正面部分）を大きく開口させる必要がある。このため、遊技機としての外観を損ねさせたり、遊技機本体へのスピーカシステムの取付位置の自由度を狭める等の問題点があった。特に、特許文献１に記載されたバスレフ形のエンクロージャを用いたものでは、ダクト（ポート）用の開口も必要となり、上記問題点はより顕著なものとなった。
また、高域成分を減衰させたい場合に、電気的なフィルタが必要になるという問題点もあった。
【０００５】
本発明は、上記従来技術の問題点を解消するためになされたもので、遊技機本体の正面部分の外観を損ねさせたり、遊技機本体へのスピーカシステムの取付位置の自由度を狭めることがなく、しかも、電気的なフィルタを用いることなく高域成分を減衰させることのできる遊技機の低音スピーカシステムを提供することを目的とする。
【０００６】
【課題を解決するための手段】
上記目的を達成するために、請求項１に記載の発明は、スピーカと、開口部を有しこの開口部に振動板が臨むように前記スピーカが取り付けられた仕切板により中間部が仕切られて前後２つの空気室が形成され、両空気室のうちの前記スピーカの正面側に位置する前空気室のいずれかの壁面に、前記振動板の正面側の開口部面積よりも開口面積の小さな、唯一の効果音放出口をなすポートを有するエンクロージャとを備え、前記ポートを適宜形状に形成してその開口端を、遊技機正面側の所望箇所に形成された効果音放出用開口に連通させることを特徴とする。
【０００７】
請求項２に記載の発明は、請求項１に記載の発明において、ポートがエンクロージャ外壁面から直線状に突出し、又は直線状に突出した後に側方に１ないし複数回曲げられ、その開口端を効果音放出用開口に連通させることを特徴とする。
【０００８】
【発明の実施の形態】
以下、本発明の実施の形態を図面に基づき説明する。なお、各図間において、同一符号は同一又は相当部分を示す。
図１は、本発明による遊技機の低音スピーカシステムの一実施形態を示す側断面図である。
この図に示すように本発明のスピーカシステムは、スピーカ１と、このスピーカ１を収納するエンクロージャ（スピーカボックス）２を備えてなる。
スピーカ１は、ダイナミック形スピーカが多用されるが、それ以外のスピーカであってもよく、また、防磁形、非防磁形、どちらのスピーカであってもよい。いずれしても、低音（低域）スピーカが用いられる。
【０００９】
エンクロージャ２は、仕切板３により中間部が仕切られて前後２つの空気室（前空気室，後空気室）４，５が形成された箱体、ここでは直方体状の箱体である。この場合、仕切板３の中央部分には開口部３ａが形成され、この開口部３ａに振動板１ａが臨むように上記スピーカ１が取り付けられている。開口部３ａは、スピーカ１の振動板１ａの外周形状に合わせた円形に形成されている。
また、エンクロージャ２の前，後空気室４，５のうちのスピーカ１の正面側に位置する前空気室４の振動板１ａに対向する壁面（前壁面）４ａには、開口直径ｄ（開口面積）が、振動板１ａの直径Ｄ（振動板正面側の開口部面積）よりも小さく設定された、唯一の効果音放出口をなすポート６が設けられている。図示例では、ポート６（効果音放出口）の開口直径ｄは、振動板１ａの直径Ｄの約１／４の寸法に設定されている。
このように、ポート６の開口直径ｄが、振動板１ａの直径Ｄよりも数分の一程度の小さな寸法で済むこと、及びポート６（効果音放出口）がただ一つで済むことによれば、遊技機正面側における後述効果音放出用開口の寸法や、その開口周辺における遊技機部品の配置設計の自由度を高めることができる。またこれにより、遊技機本体の正面部分の外観を損ねさせることもなくなる。
上記ポート６は、エンクロージャ外壁面に適宜形状に、図示例ではエンクロージャ外壁面から直線状に突出し、その開口端６ａが遊技機正面側の所望箇所に形成された効果音放出用開口７に連通するように形成されている。
【００１０】
以上述べたエンクロージャ２は、いわゆるケルトン形エンクロージャを構成すものであり、スピーカ１から直接放射された音声と前空気室４内の共鳴音とが一体となって、スピーカ１の振動板１ａの直径よりも短径のポート６の開口端６ａから低音域の音声が放出される構造となっている。
このようなケルトン形のエンクロージャ６を用いたスピーカシステムの周波数−音圧・インピーダンス特性は図２中の曲線イ・ロに示すようになる。
すなわち、２つの共振周波数ｆｌ，ｆｈと、この２つの共振周波数ｆｌ，ｆｈの中間点に反共振周波数ｆｒを有し、２つの共振周波数ｆｌ，ｆｈ間に平坦な音圧特性を示す領域ハを有するという、バンドパス周波数特性を示す。
ここで、低域側の共振周波数ｆｌは、主にスピーカ１とポート６の共振特性によって定まり、また、高域側の成分（高音）は、スピーカ１の振動板１ａから放射される音声が直接外部に伝わらず、必ずポート６を経由するために減衰する。これによれば、電気的なフィルタを用いることなく高域成分を減衰させることができる。
【００１１】
図３は、上述スピーカシステムが適用された遊技機の一例を示す正面図である。この図に示すように、遊技機、ここではパチンコ機３１の本体（パチンコ機本体）３２の正面上部には遊技盤３３が設けられており、この遊技盤３３に遊技球（図示せず）が打ち込まれることによって、パチンコ遊技が行われる。
上述スピーカシステム４１は、パチンコ機本体３２の下方寄りの裏面側に取り付けられ、そのポート開口端６ａが、パチンコ機正面側の所望箇所、ここでは上皿３４直下の左右方向中央位置に形成された効果音放出用開口７に連通されている。
【００１２】
図１に示す実施形態では、ポート６を前空気室４の前壁面４ａに設けたが、前空気室４のその他の壁面４ｂ〜４ｅに設けてもよい。いずれにせよポート６は、前空気室４の壁面４ａ〜４ｅ中の一壁面に、振動板１ａの直径Ｄよりも小さい寸法（面積）で唯一つ設けられる。
【００１３】
またポート６は、図１に示すような、エンクロージャ２の外壁面から直線状に突出形成される例に限られない。スピーカシステムの低域周波数の波長が所望の範囲から外れなければ、ポート６がエンクロージャ２の外壁面から直線状に突出形成されていなくてもよく、また、ポート６の突出部（ダクト）の長さＬや、開口直径ｄ、開口端６ａの径寸法が図１に例示のものと異なってもよい。
具体的には、ポート６を、エンクロージャ２の外壁面から直線状に突出した後に側方に１ないし複数回曲げ形成、例えば、図４に示すようにほぼ直角に１回、つまりＬ字状に曲げ形成してもよく、また、長さＬを長くしてもよい。図示しないが、ポート６が突出部（ダクト）をもたず、開口（開口端６ａ）のみを有する構成であってもよい。
いずれにしてもポート６は、その開口端６ａが遊技機正面側の所望箇所に形成された効果音放出用開口７に連通するように形成される。
このように、ポート６の形状が直線状に限られず、曲げ形成可能であり、また、ポート６の長さＬや、開口直径ｄ、開口端６ａの径寸法が種々に設定可能であることによれば、遊技機本体へのスピーカシステムの取付位置の自由度を高めることができる。具体的には、遊技機正面側における効果音放出用開口７をあけたい位置に対する、遊技機裏面側におけるエンクロージャ２の取付（配置）位置の自由度を高めることができる。
なお、このようなスピーカシステムによれば、ポート６の開口直径ｄ（開口面積）は小さいが、エンクロージャ２及びポート６をスピーカ１から出力される音声の共振に用い、唯一のポート６（効果音放出口）から集中して音声を出力するので、音声エネルギを効率よく利用できるという利点もある。
【００１４】
【発明の効果】
以上述べたように本発明では、エンクロージャにケルトン形のエンクロージャを用い、効果音放出口（ポート）の開口面積をスピーカの振動板正面側の開口部面積より小さく設定した。そして、このエンクロージャのポートを、直線状やＬ字状等、適宜形状に形成してポート開口端を、遊技機正面側の所望箇所に形成された効果音放出用開口に連通させるようにした。
これによれば、遊技機正面のスピーカ振動板の対応箇所を大きく開口させ、その外観を損ねさせるということがなくなる。また、遊技機本体へのスピーカシステム（エンクロージャ）の取付位置の自由度を高めることができる。更に、電気的なフィルタを用いることなく高域成分を減衰させることができる等の効果を発揮できる。
【図面の簡単な説明】
【図１】本発明によるスピーカシステムの一実施形態を示す側断面図である。
【図２】同上スピーカシステムの周波数−音圧・インピーダンス特性曲線を示す図である。
【図３】同上スピーカシステムが適用された遊技機の一例を示す正面図である。
【図４】本発明によるスピーカシステムの他の実施形態を示す側断面図である。
【符号の説明】
１  スピーカ
２  エンクロージャ
３  仕切板
３ａ  仕切板の開口部
４  前空気室
４ａ〜４ｅ  壁面
５  後空気室
６  ポート
６ａ  ポートの開口端
７  効果音放出用開口
【図１】
2004229183.tif 000003
【図２】
2004229183.tif 000004
【図３】
2004229183.tif 000005
【図４】
2004229183.tif 000006